(57)【要約】【課題】コンテナに内容物を収納して積載してもコンテナが破損せず、積載状態でのコンテナへの内容物の出し入れとコンテナの固定を可能とする。【解決手段】左右一対の前部支柱３１，３１と左右一対の後部支柱３２，３２の下部に、ドラム型コンテナ２０の薄肉胴部２１の両端に設けた厚肉の蓋部材２２及び底部材２３と同間隔に前部フレーム３３と後部フレーム３４とを配設し、後部フレーム３４に底部材２３に係合してドラム型コンテナ２０の前方への移動を規制するストッパ板４２を固設するとともに、後部支柱３２，３２間に、各段のドラム型コンテナ２０の底部材２３の上端部に当接する横桟４３，４４，４５，４６，４７を掛け渡してドラム型コンテナ２０の後方への移動を規制し、偶数段の桟４４，４６に、偶数段の底部材２３と奇数段の底部材２３とに係合してドラム型コンテナ２０の前方への移動を規制するストッパ４８を回動可能に設けた。【選択図】    図１
2004268959.tif 000002
【特許請求の範囲】
【請求項１】
左右一対の前部支柱と、左右一対の後部支柱と、両前部支柱の下部間に架設される前部フレームと、両後部支柱の下部間に架設される後部フレームと、左側前後支柱の下部間に架設される左側部フレームと、右側前後支柱の下部間に架設される右側部フレームとで構成され、薄肉の筒状胴部の両端に、該胴部よりも大径でかつ厚肉の蓋部材及び底部材をそれぞれ嵌着してなるドラム型コンテナを横向きにして前部フレーム及び後部フレーム上に架け渡して複数段積載するドラム型コンテナ用パレットにおいて、最下段のドラム型コンテナの記蓋部材の大径部が前部フレーム上に、同じく前記底部材の大径部が後部フレーム上にそれぞれ載置できるよう前部フレームと後部フレームとの間隔を設定し、後部フレーム上に載置された底部材の大径部に係合してドラム型コンテナの前方への移動を規制するストッパを後部フレームに固設し、横向きに積載されるドラム型コンテナの各段の底部材の上端部に当接してドラム型コンテナの後方への移動を規制する複数の横桟を両後部支柱間に掛け渡し、該横桟のうち、少なくとも下方から偶数段目の横桟に、該横桟に当接する底部材及びその上に載置される底部材に係合してドラム型コンテナの前方への移動を規制するストッパを回動可能に設け、左側前後支柱の上部間に左側梁を架設するとともに、右側前後支柱の下部間に右側梁を架設し、閉じた際に最上段のドラム型コンテナの蓋部材と底部材とにそれぞれ当接する抑え桟を備えた蓋枠体を両後部支柱に開閉可能に設けたことを特徴とするドラム型コンテナ用パレット。
【請求項２】
前記前部フレーム、後部フレーム及び左右の側部フレームは、それぞれの下部に接地フレームを設けていることを特徴とする請求項１記載のドラム型コンテナ用パレット。
【請求項３】
前記左右の側部フレームは、前後の支柱の内側に、前記左右の側梁は、前後の支柱の外側にそれぞれ架設されていることを特徴とする請求項１記載のドラム型コンテナ用パレット。
【発明の詳細な説明】
【０００１】
【発明の属する技術分野】
本発明は、ドラム型コンテナ用パレットに関し、例えば、戦車砲弾等の砲弾を収納するドラム型コンテナを複数段積載するパレットに関する。
【０００２】
【従来の技術】
例えば、図１５に示されるドラム型コンテナ１は、薄肉の円筒状胴部２の一端に蓋部材３を、他端に底部材４をそれぞれ嵌着するとともに、胴部２の中間部に中間部材５を嵌着している。蓋部材３は、胴部２に外嵌される薄肉の筒状嵌着部３ａと胴部２よりも大径で厚肉の大径蓋部３ｂとを有し、底部材４は、胴部２よりも大径で厚肉に形成され、中間部材５は、胴部２に外嵌される薄肉の筒状嵌着部５ａと胴部２よりも大径で厚肉の大径リング部５ｂとを有している。
【０００３】
このドラム型コンテナ１を積載するパレットとしては、従来、図１５，１６に示されるようなパレット６が使用されていた。このパレット６は、左右一対の前部支柱７，７及び左右一対の後部支柱８，８の下部に脚部材７ａ，８ａをそれぞれ設け、前部の脚部材７ａ，７ａ間に前部フレーム９を、後部の脚部材８ａ，８ａ間に後部フレーム１０を、左側前後の脚部材７ａ，８ａ間に左側部フレーム１１を、右側前後の脚部材７ａ，８ａ間に右側部フレーム１１をそれぞれ架設し、前部フレーム９と後部フレーム１０との間に補強フレーム１２，１２を、両側部フレーム１１，１１間に補強フレーム１３を設けた構成である（例えば、特許文献１参照。）。
【０００４】
このパレット６は、前部フレーム９と後部フレーム１０とが横向きにしたドラム型コンテナ１の胴部２を支持する位置に配置されているため、ドラム型コンテナ１に、胴部２の蓋部材３、底部材４及び中間部材５にそれぞれ隣接して保護布１４を巻き付け、蓋部材３に隣接する保護布１４部分を前部フレーム９上に、底部材４に隣接する保護布１４部分を後部フレーム１０上にそれぞれ載置し、下段のドラム型コンテナ１の蓋部材３と底部材４と中間部材５に上段のドラム型コンテナ１の蓋部材３と底部材４と中間部材５をそれぞれ重ねて複数段積載していた。
【０００５】
【特許文献１】
特開２００２−６８１８６号（第２〜４頁、図１）
【０００６】
【発明が解決しようとする課題】
ところが、上述のパレットでは、前後のフレームがドラム型コンテナの薄肉の胴部を支持する位置に配置されているから、コンテナが空の状態でも複数段積載すると自重で破損するおそれがある。このため、コンテナに内容物を収納して積載できないので、コンテナが空の状態でしかパレットに積載できなかった。したがって、内容物の出し入れは、コンテナをパレットから降ろした状態で行わなければならず、また、内容物を収納したコンテナの搬送にパレットが使用できないことから搬送作業に多大な手間を要していた。さらに、パレットに積載したコンテナの固定にはベルトラッシング等の荷締機を必要とするが、コンテナの薄肉部分がパレットに支持されているため、しっかり固定することができずコンテナが移動するおそれがある。また、各脚部材の接地面積が小さいため、柔らかい地面に置いた場合に沈み込むおそれがあり、搬送車や倉庫の木床を損傷するおそれもある。
【０００７】
そこで本発明は、コンテナに内容物を収納して積載してもコンテナが破損せず、積載状態でのコンテナへの内容物の出し入れとコンテナの固定が可能なドラム型コンテナ用パレットを提供することを目的としている。
【０００８】
【課題を解決するための手段】
上記した目的を達成するため、本発明は、左右一対の前部支柱と、左右一対の後部支柱と、両前部支柱の下部間に架設される前部フレームと、両後部支柱の下部間に架設される後部フレームと、左側前後支柱の下部間に架設される左側部フレームと、右側前後支柱の下部間に架設される右側部フレームとで構成され、薄肉の筒状胴部の両端に、該胴部よりも大径でかつ厚肉の蓋部材及び底部材をそれぞれ嵌着してなるドラム型コンテナを横向きにして前部フレーム及び後部フレーム上に架け渡して複数段積載するドラム型コンテナ用パレットにおいて、最下段のドラム型コンテナの記蓋部材の大径部が前部フレーム上に、同じく前記底部材の大径部が後部フレーム上にそれぞれ載置できるよう前部フレームと後部フレームとの間隔を設定し、後部フレーム上に載置された底部材の大径部に係合してドラム型コンテナの前方への移動を規制するストッパを後部フレームに固設し、横向きに積載されるドラム型コンテナの各段の底部材の上端部に当接してドラム型コンテナの後方への移動を規制する複数の横桟を両後部支柱間に掛け渡し、該横桟のうち、少なくとも下方から偶数段目の横桟に、該横桟に当接する底部材及びその上に載置される底部材に係合してドラム型コンテナの前方への移動を規制するストッパを回動可能に設け、左側前後支柱の上部間に左側梁を架設するとともに、右側前後支柱の下部間に右側梁を架設し、閉じた際に最上段のドラム型コンテナの蓋部材と底部材とにそれぞれ当接する抑え桟を備えた蓋枠体を両後部支柱に開閉可能に設けたことを特徴としている。また、前記前部フレーム、後部フレーム及び左右の側部フレームは、それぞれの下部に接地フレームを設けていること、前記左右の側部フレームは、前後の支柱の内側に、前記左右の側梁は、前後の支柱の外側にそれぞれ架設されていることが望ましい。
【０００９】
【発明の実施の形態】
以下、本発明を、図面に示す実施形態例に基づいて、さらに詳細に説明する。図１乃至図７は本発明の第１実施形態例を示すもので、ドラム型コンテナ２０は、薄肉の円筒状胴部２１の一端に蓋部材２２を、他端に底部材２３を、中間部に中間部材２４をそれぞれ嵌着している。蓋部材２２は、胴部２１に外嵌される薄肉の筒状嵌着部２２ａと胴部２１よりも大径で厚肉の大径蓋部２２ｂとを有し、底部材２３は、胴部２１よりも大径で厚肉に形成され、胴部２１に直接嵌着されている。中間部材２４は、胴部２１に外嵌される薄肉の筒状嵌着部２４ａと胴部２１よりも大径で厚肉の大径リング部２４ｂとを有している。これら大径蓋部２２ｂ、底部材２３及び大径リング部２４ｂは、ドラム型コンテナ２０を横置きした際に、ドラム型コンテナ２０の転がりを防止するために同一形状の八角形に形成されている。
【００１０】
このドラム型コンテナ２０を横置きにして５列５段に積載するパレット３０は、左右一対の前部支柱３１，３１と、左右一対の後部支柱３２，３２と、前部支柱３１，３１の下部間に架設される前部フレーム３３と、後部支柱３２，３２の下部間に架設される後部フレーム３４と、左側の前部支柱３１と後部支柱３２の下部間に架設される左側部フレーム３５と、右側の前部支柱３１と後部支柱３２の下部間に架設される右側部フレーム３５と、左右の側部フレーム３５，３５間に架設される補助フレーム３６と、左側の前部支柱３１と後部支柱３２の上部間に架設される左側梁３７と、右側の前部支柱３１と後部支柱３２の上部間に架設される右側梁３７と、左側の前部支柱３１と後部支柱３２の中間部分の左側部フレーム３５と左側梁３７との間に立設される左補助支柱３８と、右側の前部支柱３１と後部支柱３２の中間部分の右側部フレーム３５と右側梁３７との間に立設される右補助支柱３８と、後部支柱３２，３２の上部に開閉可能に設けられる蓋枠体３９とで構成されている。なお、各前部支柱３１と各側梁３７との間及び各後部支柱３２と各側梁３７との間には、補強部材４０がそれぞれ設けられている。さらに、各側梁３７には、クレーンのフックが係合する環４１、４１がそれぞれ設けられている。
【００１１】
前記前部フレーム３３と後部フレーム３４とは、前記大径蓋部２２ｂが前部フレーム３３上に、前記底部材２３が後部フレーム３４上にそれぞれ載置できるようにその間隔を設定されている。また、前記補助フレーム３６は、前記大径リング部２４ｂを載置できる位置に設けられている。前記後部フレーム３４の前面側には、後部フレーム３４の上面から突出して後部フレーム３４に積載されるドラム型コンテナ２０の底部材２３の下部蓋側に係合して、ドラム型コンテナ２０の前方への移動を規制するストッパ板４２が後部フレーム３４の略全長に亘って固設されている。また、後部フレーム３４上部の後部支柱３２，３２間には、横向きの積載されるドラム型コンテナ２０の各段の底部材２３の上端部に当接してドラム型コンテナ２０の後方への移動を規制する５段の横桟４３，４４，４５，４６，４７が掛け渡されている。
【００１２】
２段目の横桟４４には、２段目に積載されるドラム型コンテナ２０の底部材２３の上部蓋側に係合するとともに、３段目のドラム型コンテナ２０の底部材２３の下部蓋側に係合して、ドラム型コンテナ２０の前方への移動を規制するストッパ４８が回動可能に設けられている。このストッパ４８は、桟４４と略同長のストッパ本体４８ａに、横桟４４に２カ所設けられたブラケット４４ａ，４４ａにそれぞれピン連結されるブラケット４８ｂ，４８ｂを突出形成している。また、４段目の横桟４６にも、同一構成のストッパ４８が横桟４６のブラケット４６ａ，４６ａに回動可能に設けられて、４段目に積載されるドラム型コンテナ２０の底部材２３の上部蓋側に係合するとともに、５段目のドラム型コンテナ２０の底部材２３の下部蓋側に係合する。なお、ストッパ４８は、各段の横桟に設けてもよい。
【００１３】
前記蓋枠体３９は、前抑え桟５１と、後抑え桟５２と、前後の抑え桟５１，５２の左右にそれぞれ架設される側桟５３，５３と、前後の抑え桟５１，５２の中間部分で左右の側桟５３，５３間に架設される中間抑え桟５４とで構成されている。前抑え桟５１、後抑え桟５２及び中間抑え桟５４は、蓋枠体３９を閉じた際に、前抑え桟５１が前記大径蓋部２２ｂに、後抑え桟５２が底部材２３に、中間抑え桟５４が前記大径リング部２４ｂにそれぞれ当接する位置に配設されている。また、各側桟５３，５３の前抑え桟５１寄りには、蓋枠体３９を閉じた際に前記側梁３７の孔３７ａに差し込まれて蓋枠体３９を閉状態に保持するロックピン５５がそれぞれ設けられている。
【００１４】
前記前部フレーム３３の下部には、前部フレーム３３と略同長の接地フレーム５６が、その中央部を前部フレーム３３の中央部に連結されて前部フレーム３３と平行に設けられている。また、前記後部フレーム３４にも、後部フレーム３４と略同長の接地フレーム５７が、その中央部を後部フレーム３４の中央部に連結されて後部フレーム３４と平行に設けられている。さらに、左右の各側部フレーム３５の下部にも、側部フレーム３５と略同長の接地フレーム５８が、その中央部を側部フレーム３５の中央部に連結されて側部フレーム３５と平行にそれぞれ設けられている。これら接地フレーム５６，５７，５８，５８は、フォークリフトのフォークが挿入可能な間隔を開けて、前後の支柱３１，３１，３２，３２の下面と上面が同位置になるように設けられている。また、各接地フレーム５６，５７，５８，５８は、両端を下方へ向けて広がるテーパ面に形成されている。このテーパ面は、図７に示されるように、複数のパレット３０を積み上げる際に、下方のパレット３０の各支柱３１，３１，３２，３２の上面と上部のパレット３０の各支柱３１，３１，３２，３２の下面とを位置合わせするガイドとなる。
【００１５】
このように構成されたパレット３０は、１段目のドラム型コンテナ２０の蓋部材２２の大径蓋部２２ｂを前部フレーム３３に、底部材２３を後部フレーム３４に積載すると、後部フレーム３４のストッパ板４２がドラム型コンテナ２０の底部材２３の下部蓋側に係合して、ドラム型コンテナ２０の前方への移動を規制するとともに、前記最下段の横桟４３が底部材２３の状端部底面に当接してドラム型コンテナ２０の後方への移動を規制する。なお、左右方向の移動は、ドラム型コンテナ２０を５列並べることにより規制される。
【００１６】
次に、１段目のドラム型コンテナ２０の蓋部材２２の大径蓋部２２ｂと底部材２３の上に２段目のドラム型コンテナ２０の蓋部材２２の大径蓋部２２ｂと底部材２３とを積載し、２段目の横桟４４のストッパ４８を回動して伏せると、ストッパ４８が２段目に積載されたドラム型コンテナ２０の底部材２３の上部蓋側に係合する。これにより、２段目のドラム型コンテナ２０は、ストッパ４８の係合と横桟４４への底部材２３底面の当接によって前後方向の移動を規制される。３段目に積載されたドラム型コンテナ２０は、ストッパ４８の底部材２３の下部蓋側への係合と３段目の横桟４５への底部材２３底面の当接によって前後方向の移動を規制される。４段目に積載されたドラム型コンテナ２０は、４段目の横桟４６に設けられたストッパ４８の回動による底部材２３の上部蓋側への係合と４段目の横桟４６への底部材２３底面の当接によって前後方向の移動を規制される。５段目に積載されたドラム型コンテナ２０は、ストッパ４８の底部材２３の下部蓋側への係合と５段目の横桟４７への底部材２３底面の当接によって前後方向の移動を規制される。そして、蓋枠体３９を閉じて前部抑え桟５１を５段目のドラム型コンテナ２０の蓋部材２２の大径蓋部２２ｂ上面に、後部抑え桟５２を底部材２３上面にそれぞれ当接させて、ロックピン５５にて蓋枠体３９を側梁３７にロックすることにより、５列５段に積載されたドラム型コンテナ２０は、上下方向の移動も規制される。この状態で、フォークリフトやクレーンによってパレット３０を移動させることができる。
【００１７】
このように、パレット３０の前部フレーム３３と後部フレーム３４の間隔を、ドラム型コンテナ２０の厚肉部である蓋部材２２の大径蓋部２２ｂと底部材２３とを支持する位置に設定することにより、ドラム型コンテナ２０を多段に積載しても荷重は剛性の高い蓋部材２２の大径蓋部２２ｂと底部材２３とに負荷されるから、ドラム型コンテナ２０が自重で破損するおそれがなく、内容物を収納した状態のドラム型コンテナ２０でも積載可能である。また、ドラム型コンテナ２０をパレット３０に確実に固定できるから、パレット３０にドラム型コンテナ２０を積載した状態で内容物の収納・取り出しができ、ドラム型コンテナ２０の積み卸し作業が一貫した作業工程となり、作業時間を大幅に短縮することができ、ドラム型コンテナ２０を積載したパレット３０をそのまま搬送することもできる。さらに、ドラム型コンテナ２０を積載したパレット３０を多段に積み上げることも可能であるから、保管面積が少なくて済む。しかも、接地フレーム５６，５７，５８，５８によって接地面積が増大しているから、柔らかい地面にパレット３０を置いた場合でも沈み込むおそれがなく、搬送車や倉庫の木床を損傷するおそれもない。
【００１８】
図８乃至図１０は本発明の第２実施形態例を示すもので、以降の実施形態例において前記第１実施形態例と同一要素には同一の符号を付して説明する。パレット６０は、前部支柱３１，３１と後部支柱３２，３２とを、前部フレーム３３、後部フレーム３４及び左右の側部フレーム３５で連結されている部分の少し上方で下部脚部３１ａ，３１ａ，３２ａ，３２ａと上部支柱３１ｂ，３１ｂ，３２ｂ，３２ｂとに分割するとともに、横桟４３，４４，４５，４６，４７と蓋枠体３９とを着脱可能として、底枠７１、左右の側枠７２，７２、背枠７３及び蓋枠体３９とに分解可能としたものである。
【００１９】
前記上部支柱３１ｂ，３１ｂ，３２ｂ，３２ｂは、前記下部脚部３１ａ，３１ａ，３２ａ，３２ａにそれぞれ印籠継ぎで連結され、ボルト７４にて固定される。前記底枠７１は、前記下部脚部３１ａ，３１ａ，３２ａ，３２ａと前部フレーム３３、後部フレーム３４及び左右の側部フレーム３５，３５とで構成されている。前記側枠７２は、前後の上部支柱３１ｂ，３２ｂと上部の側梁３７と上部支柱３１ｂ，３２ｂの下部を連結する補助梁７５とで構成されている。前記背枠７３は、最下段の横桟４３と最上段の横桟４７とを左右の縦フレーム７６，７６で連結し、両縦フレーム７６，７６間に横桟４４，４５，４６を掛け渡した構成で、横桟４３，４７の両端を前記上部支柱３２ｂ，３２ｂのブラケット３２ｃ、３２ｃにそれぞれボルト７７で連結して前記上部支柱３２ｂ，３２ｂに取り付けられる。蓋枠体３９は、左右の側部フレーム５３，５３の後部フレーム５２側端部にそれぞれ設けたブラケット５３ａ，５３ａを前記上部支柱３２ｂ，３２ｂの上端にボルト７８，７８で連結して上部支柱３２ｂ，３２ｂに開閉可能に取り付けられる。なお、前記第１実施形態例と同様に、前記後部フレーム３４にはストッパ板４２が、２段目の桟４４と４段目の桟４６とにはストッパ４８がそれぞれ設けられている。
【００２０】
この構成により、前記第１実施形態例と同様の効果を奏するだけでなく、不使用時に空のパレット６０を底枠７１、左右の側枠７２，７２、背枠７３及び蓋枠体３９に分解して、底枠７１上に左右の側枠７２，７２、背枠７３及び蓋枠体３９を載せて保管することができ、空のパレット６０の容積を少なくして保管場所を減少できる。
【００２１】
図１１乃至図１４は本発明の第３実施形態例を示すもので、パレット８０は、左右の側部フレーム３５，３５を前後の支柱３１，３２の内側に、左右の側梁３７，３７を前後の支柱３１，３２の外側にそれぞれ架設し、これら以外は、接地フレーム５６，５７，５８，５９を除いて前記第１実施形態例のパレット３０と同様の構成としたもので、図１４に示されるように、不使用時に、空のパレット８０を複数重ねて置けるようにしたものである。この重ね置きは、下段のパレット８０の上方から、上のパレット８０の前部支柱３１，３１と後部支柱３２，３２を下のパレット８０の前部支柱３１，３１と後部支柱３２，３２の前に位置させることで複数を重ね置きできる。
【００２２】
左右の側梁３７，３７には、蓋枠体３９のロックピン５５を係止する係止部材８１と重ね置きする際に下のパレット８０の側梁３７，３７上面に当接する支持片８２とが設けられ、また、各支柱３１，３１，３２，３２の上端には、図１３に示されるように、パレット８０の上部に積まれるパレット８０の各支柱３１，３１，３２，３２を受ける受け部材８３がそれぞれ設けられている。
【００２３】
【発明の効果】
以上説明したように、本発明は、ドラム型コンテナを多段に積載しても自重で破損するおそれがなく、内容物を収納したドラム型コンテナでも積載可能である。また、ドラム型コンテナをパレットに確実に固定できるから、ドラム型コンテナをパレットに積載した状態で内容物の収納・取り出しができ、ドラム型コンテナの積み卸し作業が一貫した作業工程となり、作業時間を大幅に短縮することができ、ドラム型コンテナを積載したパレットごと搬送することもできる。さらに、ドラム型コンテナを積載したパレットを多段に積み上げることも可能であるから、保管面積が少なくて済む。
【図面の簡単な説明】
【図１】第１実施形態例のドラム型コンテナを積載したパレットの斜視図
【図２】同じく空のパレットの斜視図
【図３】ドラム型コンテナを積載したパレットの断面図
【図４】同じく拡大断面図
【図５】ストッパ板とストッパの係合状態を示す拡大斜視図
【図６】蓋体を閉じた状態の拡大斜視図
【図７】第１実施形態例のパレットを複数積み重ねた状態の斜視図
【図８】第２実施形態例のパレットの正面図
【図９】同じく側面図
【図１０】同じく平面図
【図１１】第３実施形態例のパレットの斜視図
【図１２】同じくドラム型コンテナを積載したパレットの斜視図
【図１３】パレットを複数重ね置きした状態の斜視図
【図１４】第３実施形態例のパレットを複数積み重ねた状態の斜視図
【図１５】従来のパレットにドラム型コンテナを積載した状態の側面図
【図１６】従来のパレットの平面図
【符号の説明】
２０…ドラム型コンテナ、２１…胴部、２２…蓋部材、２３…底部材、３０，６０，８０…パレット、３１…前部支柱、３２…後部支柱、３３…前部フレーム、３４…後部フレーム、３５…側部フレーム、３７…側梁、４２…ストッパ板、４３，４４，４５，４６，４７…横桟、４８…ストッパ、３９…蓋枠体、５１…前部抑え桟、５２…後部抑え桟、５６，５７，５８…接地フレーム
【図１】
2004268959.tif 000003
【図２】
2004268959.tif 000004
【図３】
2004268959.tif 000005
【図４】
2004268959.tif 000006
【図５】
2004268959.tif 000007
【図６】
2004268959.tif 000008
【図７】
2004268959.tif 000009
【図８】
2004268959.tif 000010
【図９】
2004268959.tif 000011
【図１０】
2004268959.tif 000012
【図１１】
2004268959.tif 000013
【図１２】
2004268959.tif 000014
【図１３】
2004268959.tif 000015
【図１４】
2004268959.tif 000016
【図１５】
2004268959.tif 000017
【図１６】
2004268959.tif 000018